(57)【要約】【課題】  本発明は、ファイルフォルダーの作成において糊を使用しないことで糊の溶け出しによる不都合を生ぜず、しかも表，裏シート全面に垂るみ，しわ，波を全く作らない高級感のあるファイルフォルダーを新規に提供するものである。【解決手段】  本発明は、表装シートと裏打ちシートを芯材を挟んで重ね合わせてなるファイルフォルダーにおいて、重ね合わせた表，裏シートの全端縁をウェルダー刃にて挟んでウェルダー緊張溶着して一体にするとともに溶着端外を同時に切除し、次いでウェルダー緊張溶着端縁に平行して表，裏シートの端部に額縁状のミシン縫いラインを直列にて形成したことを特徴とする保険約款等挟み入れ用のファイルフォルダーにある。【選択図】  図２
2009061602.tif 000002
【特許請求の範囲】
【請求項１】
表装シートと裏打ちシートを芯材を挟んで重ね合わせてなるファイルフォルダーにおいて、重ね合わせた表，裏シートの端縁をウェルダー刃にて挟んでウェルダー緊張溶着して一体にするとともに溶着端外を切除し、次いでウェルダー緊張溶着端縁に平行して表，裏シートの端部に額縁状のミシン縫いラインを直列にて形成したことを特徴とする保険約款等挟み入れ用のファイルフォルダー。
【請求項２】
ファイルフォルダーは中間に芯材不挿入による横折り重ねまたは縦折り重ねの折ぐせを有す背部を設けて二つ折り開閉形とする請求項１に記載のファイルフォルダー。
【請求項３】
ファイルフォルダーは内面に保険証券等の約款入れのほか、名刺入れ、保存書紙などを収容する複数枚の挟み入れ袋を取付けする請求項１または２に記載のファイルフォルダー。
【発明の詳細な説明】
【技術分野】
【０００１】
この発明は保険約款等挟み入れ用のファイルフォルダーに関するものである。
【背景技術】
【０００２】
この種のファイルフォルダーとしては特開２００４−１７５０４５号公報がある。該公報は表装シートの端縁を芯材の裏面に折返して糊付け接着し、次いで折返し端を裏当て材の重ね糊付けにてかくすようにしたことを記載している。
【特許文献１】特開２００４−１７５０４５号公報
【発明の開示】
【発明が解決しようとする課題】
【０００３】
このような表装シート端の折返し糊付は、温度・湿度等の変化によって糊が溶けだして折返しが解けてはみ出したり、表装シートに部分的に垂るみ，しわ，波などを生じさせる課題がある。また溶け出した糊がべたべたして不快にするという課題がある。
【課題を解決するための手段】
【０００４】
本発明は、表装シートと裏打ちシートを芯材を挟んで重ね合わせてなるファイルフォルダーにおいて、重ね合わせた表，裏シートの端縁をウェルダー刃にて挟んでウェルダー緊張溶着して一体にするとともに溶着端外を切除し、次いでウェルダー緊張溶着端縁に平行して表，裏シートの端部に額縁状のミシン縫いラインを直列にて形成して、かかる課題を解決したのである。
【発明の効果】
【０００５】
本発明は、表裏シートの端縁をウェルダー刃の挟みつけによりウェルダー緊張溶着するので、表裏シートは全面、特に端部は緊張して、垂るみ，しわ，波を全く作らないという効果を生ずる。
【０００６】
表，裏シートの端部のミシン縫いラインを長時間直列にて維持し、溶着部の剥離，破損を防止するという効果を生ずる。
【０００７】
糊を使用しないので、溶け出しによる不都合が一切排除されるという効果を生ずる。
【発明を実施するための最良の形態】
【０００８】
本発明は、表装シートと裏打ちシートを芯材を挟んで重ね合わせてなるファイルフォルダーにおいて、重ね合わせた表，裏シートの全端縁を糊を使わずにウェルダー刃にて挟んでウェルダー緊張溶着して一体とし、溶着端外を切除し、次いでウェルダー緊張溶着の端縁に沿って表，裏シートの端部上に額縁状のミシン縫いラインを直列において形成するようにしたのである。またファイルフォルダーは中間に芯材不挿入による横折り重ねまたは縦折り重ねの折ぐせを付した背部を設けて、二つ折り開閉形とするのである。内面に保険証券等の約款入れのほか、名刺入れ、保存書紙などを収容する複数枚の挟み入れ袋を取付けするのである。
【実施例１】
【０００９】
ウェルダーによる高周波溶着が可能な高級感のある熱可塑性樹脂シートからなる四角形の表装シート１と裏打ちシート２をやや小さく裁断した板紙などの芯材３を挟んで重ね合わせ、表装シート１と裏打ちシート２の全端縁を上下のウェルダー刃４ａ，４ｂの高周波発生部４ｃにて挟んで両シート１，２、特に表装シート１を緊張させて高周波加熱により緊張溶着して強固に接合して一体にすると同時に溶着部ａから外側の端外を上部のウェルダー刃４にて切除する。次いで緊張溶着した端縁から５〜８ｍｍ程度内側に寄った両シート１，２の端部に額縁状のミシン縫いライン５を直列にて形成してファイルフォルダー６のカバー６ａを作成する。緊張溶着によって両シート１，２は垂るみ，しわ，波が全く生じないので直列のミシン縫いライン５は左右に乱れたり、ふくらんだりすることがないものとなる。
【００１０】
カバー６ａは中間に芯材不挿入による横折り重ね用の折ぐせを有す背部７を形成し、背部７部分の内面に保存書紙などを収容する複数枚の挟み入れ袋８を取付け、一方の見返し内面となる裏打ちシート２に名刺入れ９、他方見返しの裏打ちシート２に約款入れ１０を取付けして保険約款等挟み入れのファイルフォルダー６とするのである。挟み入れ袋８、名刺入れ９および約款入れ１０の素材を表，裏シート１，２と同様の熱可塑性樹脂シートまたはフィルムにすることで裏打ちシート２に高周波溶着ｂすることができるものとなる。
【実施例２】
【００１１】
表装シート１と裏打ちシート２は塩化ビニル、ポリエチレン，ボリプロピレン，ポリスチレン，ＰＥＴ等の柔軟で肌ざわりがよく、厚さ０.３〜１ｍｍの範囲で縦３７ｃｍ、横５３ｃｍの大きさとする。この寸法は二つ折りにしたときにＡ４版の大きさの書類を挟み綴じすることができることとなる。表装シート１は茶色などの落ち着いた色に着色された素材を用い、表側には予め保険の名称，キャッチコピー，保険会社等の名称，住所，電話番号などの印刷部Ｐを設けている。裏打ちシート２は黒く着色された無地のものを使用する。
【００１２】
芯材３は古紙を主体として積層してなる１.５〜２.５ｍｍ厚のチップボールより選択して縦３３ｃｍ、横２３ｃｍの大きさに裁断したものを２枚入れてなる。３ａは表装シート１に弾力を持たせて手ざわりをさらによくするために挿入するスポンジの薄板で、芯材３と同じ大きさに形成する。
【００１３】
図２に示すように高周波溶着用の下部ウェルダー刃４ｂ上に裏打ちシート２の表面を下向きにして載せ、その上に図７に示すようにスポンジの薄板３ａを上にして重合した２枚の芯材３を重ね載せる。芯材３およびスポンジの薄板３ａは裏打ちシート２の外端より１ｃｍほど内側で且つ中央に背部７部分を空けた配置とする。さらにその上に表装シート１を表側を上にして合わせ載せ、芯材３の外縁に沿って降下する上部のウェルダー刃４ａと下部のウェルダー刃４ｂにて表装シート１と裏打ちシート２間を高周波溶着するのである。接面部分が高温に内部加熱され相互に強く溶着することとなる。かくて両シート１，２は端縁を一体にすると同時に溶着部ａの端外を切除するのである。上部のウェルダー刃４ａは外下向きに弯曲傾斜していて全周の内側に０.５ｍｍ幅程の高周波発生部４ｃを有し、表装シート１の全周端縁を芯材３，スポンジの薄板３ａの外周に沿って緊張させつつ裏打ちシート２に重ね合わせて挟み、緊張した状態にて溶着するのである。高周波溶着は極く短時間にて均一加熱して溶着するので周囲の部位に熱の影響が出ることがなく、しかも緊張溶着したことによって両シート１，２は垂るみ，しわ，波が全く生ずることなしにぴんと張った状態に仕立てられることとなる。溶着後、上部のウェルダー刃４ａは直ちに上昇する。
【００１４】
次いで図３に示すように下部のウェルダー刃４ｂ上から取出した本体６ａの溶着部ａの端縁内側５ｍｍほどに平行して表装シート１と裏打ちシート２間を貫通する額縁状のミシン縫いライン１３を形成するのである。両シート１，２に垂るみ等がないので、ミシン縫いライン５は左右に曲がったりずれたりすることなくまっすぐにきれいに形成されて、額縁状の整ったミシン縫いライン５によってファイルフォルダー６は至極豪華に見えるものとなる。しかもミシン縫いは芯材３およびスポンジの薄板３ａも貫通して強固に固定するので、芯材３等のずれ動きを全く生じさせないものとする。さらにミシン縫いライン５を形成して補強したことで全端縁に引張圧等の負担がかからないので、長く使用しても溶着部ａに剥離，破損等が全く生じないものとなる。
【００１５】
別途形成する挟み入れ袋８、名刺入れ９および約款入れ１０は、水などがかかって内部に収容した書面等が汚れたり破れたりすることを防止するものであり、内部の書面等が袋の外側から見えるように透明または半透明な熱可塑性樹脂シートまたはフィルムにて形成する。素材としては、透明性、柔軟性などの各種特性に優れたポリ塩化ビニル、ポリプロピレン、ポリエチレン、ポリスチレン、ポリオレフィン共重合物、またはポリ塩化ビニル共重合物、ポリアクリル酸エステル、塩化ビニリデン共重合物などをラミネートもしくはコーティングして熱溶着性を付与したフィルムなどがある。特に延伸ポリプロピレンフィルムは、透明度が良好であり、紙の滑りもよく、書面類を姿勢よく保管するのに適した腰の強さを有して強度的にも優れており、さらに無公害な合成樹脂として好ましい素材である。
【００１６】
図４に示すように一方の見返し部の裏打ちシート２の下半に２枚の名刺が入る名刺入れ９を形成するサイズの透明フィルム９ａを当て載せ、左右と中央および下辺縁を刃のないウェルダーにより高周波溶着ｂして上辺を出入口に開口した名刺入れ９を形成し、他方見返しの裏打ちシート２には左右と下辺に内折片１０ｂに続き該内折片１０ｂより長い外折片１０ｃとからなるマチ１０ｄを設けた約款入れ１０形成用の透明フィルム１０ａを当て載せ、外周より表出した外折片１０ｃの各端縁をウェルダー溶着ｂしてマチ付きの約款入れ１０を形成する。マチ付きによって厚みのある約款を容易に収納することができるものとなる。さらに左右に区切るとそれぞれにＡ４版の書面等を出し入れすることのできる大きさで上辺を開放した挟み入れ袋部材８ａを数枚重ね、中央線部８ｂをファイルフォルダー６の背部７の中央に合わせて載せ、ウェルダー加熱して裏打ちシート２に一体に溶着ｂするのである。挟み入れ袋８は領収書ハガキなどの小さな書面類を収納する上部被せ蓋８ｃ付きのハーフサイズ等にて形成することもある。
【実施例３】
【００１７】
図８はフィルフォルダー６を二つ折りしたときのそれぞれの面にミシン縫いライン５が額縁状となるように形成した例を示すものである。ミシン縫いライン５が増量されたことにより強度がさらに向上し、片面ごとの額縁状にて高級感も増すものとなる。
【産業上の利用可能性】
【００１８】
本発明は、芯材を挟む表装シートと裏打ちシートを用いて作成する各種のファイルフォルダーにおいて広く利用することができるものである。
【図面の簡単な説明】
【００１９】
【図１】表装シート，芯材，裏打ちシートを重ね載せ前の状態にて示す斜視図
【図２】シートを緊張溶着する状態を示す要部の拡大断面図
【図３】額縁状のミシン縫いラインを形成した状態を示す正面図
【図４】内面の裏打ちシートに名刺入れと約款入れを溶着取付した状態を示す正面図
【図５】挟み入れ袋部材を溶着取付けした状態を示す正面図
【図６】ファイルフォルダーを二つ折りして閉じた状態を示す正面図
【図７】芯材にスポンジの薄板を重合する例を示す斜視図
【図８】二つ折りの各面に額縁状のミシン縫いラインを形成した例を示す正面図
【符号の説明】
【００２０】
１は表装シート
２は裏打ちシート
３は芯材
３ａはスポンジの薄板
４ａは上部のウェルダー刃
４ｂは下部のウェルダー刃
４ｃは高周波発生部
５はミシン縫いライン
６はファイルフォルダー
６ａはカバー
７は背部
８は挟み入れ袋
８ａは挟み入れ袋部材
８ｂは中央線部
８ｃは上部被せ蓋
９は名刺入れ
９ａは名刺入れ形成用の透明フィルム
１０は約款入れ
１０ａは約款入れ形成用の透明フィルム
１０ｂは内折片
１０ｃは外折片
１０ｄはマチ
ａは溶着部
ｂは挟み入れ袋，名刺入れ，約款入れの溶着部
ｐは印刷部
【図１】
2009061602.tif 000003
【図２】
2009061602.tif 000004
【図３】
2009061602.tif 000005
【図４】
2009061602.tif 000006
【図５】
2009061602.tif 000007
【図６】
2009061602.tif 000008
【図７】
2009061602.tif 000009
【図８】
2009061602.tif 000010